(57)【要約】【課題】カバー体を人の鼻と口に被せ、吸気部を新鮮な空気の存在する空間に配置することにより、カバー体内への油煙の吸入を防ぎ、新鮮な空気を取り込むことができる、防煙マスクを提供すること。【解決手段】人体の顔に合わせて形成され、螺合部１１を備えた通孔が設けられ、両側に取付紐１２が設置されたカバー体１と、一端がカバー体１の螺合部１１に連結され、他端に吸気部２１が設けられ、吸気部２１内にフィルタ材が設置されたチューブ２と、吸気部２１に係合可能な掛止部材３１が連結された吸盤３とを備える。【選択図】図１
0003172237.tif 000002
【実用新案登録請求の範囲】
【請求項１】
防煙マスクであって、
人体の顔に合わせて形成され、螺合部を備えた通孔が設けられ、両側に取付紐が設置されたカバー体と、
一端が前記カバー体の螺合部に連結され、他端に吸気部が設けられ、前記吸気部内にフィルタ材が設置されたチューブと、
前記吸気部に係合可能な掛止部材が連結された吸盤と、
を含み、前記カバー体を人の鼻と口に被せ、前記吸気部を新鮮な空気の存在する空間に配置して、前記カバー体内への油煙の吸入を防ぎ、且つ新鮮な空気を取り込むことができるように構成されたことを特徴とする、防煙マスク。
【請求項２】
前記吸気部の外周に凹陥状に溝部が周設され、該溝部に前記吸盤の掛止部材を掛止することにより、前記吸気部と掛止部材を位置決め可能としたことを特徴とする、請求項１に記載の防煙マスク。
【請求項３】
前記吸気部内に設けた前記フィルタ材が、活性炭布又は不織布フィルタであることを特徴とする、請求項１に記載の防煙マスク。
【考案の詳細な説明】
【技術分野】
【０００１】
本考案は防煙マスクに関し、特に火災が発生して濃煙が形成されたとき、または汚染された環境に置かれたときに、人の鼻と口に被せ、吸気部を新鮮な空気の存在する空間に設置し、避難を有利にすることができるようにしたり、調理時に吸盤で吸気部を換気扇または換気扇より高い位置に吸着させ、油煙の吸入を防ぎ、新鮮な空気を取り込むことができる、防煙マスクに関する。
【背景技術】
【０００２】
一般の防煙マスクはカバー体を有し、カバー体内にフィルタパックが設置され、カバー体の上部にウィンドウが設けられ、使用時はカバー体を頭部に被せ、フィルタパックにより有害な気体を濾過し、火災現場から避難することができるようになっている。このような従来のマスクは操作が不便であり、煙や有毒物の濾過効果が比較的低い。
また、一般的な台所は、油煙を排出するために、コンロの上方に排煙設備が設置され、排煙設備により調理時に発生する油煙を吸い取り、外に排出しているが、排煙設備とコンロ間にはかなりの距離があるため、排煙設備の吸引力が効果的に発揮されず、一部の油煙が台所に残り、油煙汚染を生じ、さらには吸入した人体の肺に傷害を引き起こすことさえある。
【考案の概要】
【考案が解決しようとする課題】
【０００３】
本考案が解決しようとする課題は、火災が発生して濃煙が形成されたり、汚染された環境に置かれたりしたとき、カバー体を人の鼻と口に被せ、吸気部を新鮮な空気の存在する空間に配置して避難を有利にすることができ、または調理時に吸盤で吸気部を換気扇または換気扇より高い位置に吸着させ、カバー体内への油煙の吸入を防ぎ、新鮮な空気を取り込むことができる、防煙マスクを提供することにある。
【課題を解決するための手段】
【０００４】
本考案の防煙マスクは、人体の顔に合わせて形成され、螺合部を備えた通孔が設けられ、両側に取付紐が設置されたカバー体と、一端が前記カバー体の螺合部に連結され、他端に吸気部が設けられ、前記吸気部内にフィルタ材が設置されたチューブと、前記吸気部に係合可能な掛止部材が連結された吸盤とを含み、前記カバー体を人の鼻と口に被せ、前記吸気部を新鮮な空気の存在する空間に配置して、前記カバー体内への油煙の吸入を防ぎ、且つ新鮮な空気を取り込むことができるように構成されている。
【０００５】
前記吸気部の外周に凹陥状に溝部が周設され、該溝部に前記吸盤の掛止部材を掛止することにより、吸気部と掛止部材を位置決め可能としてもよい。
前記吸気部内に設けた前記フィルタ材は、活性炭布又は不織布フィルタとすることがある。
【考案の効果】
【０００６】
本考案によれば、火災が発生して濃煙が形成されたり、汚染された環境に置かれたとき、カバー体を人の鼻と口に被せ、吸気部を新鮮な空気の存在する空間に配置して避難を有利にすることができ、調理時に吸盤で吸気部を換気扇または換気扇より高い位置に吸着させ、油煙の吸入を防ぎ、新鮮な空気を取り込むこともできる。
【図面の簡単な説明】
【０００７】
【図１】本考案の実施例を示す防煙マスクの斜視図である。
【図２】本考案の実施例に係る吸気部の斜視図である。
【図３】本考案の実施例を示す防煙マスクの使用状態における斜視図である。
【図４】本考案の実施例を示す防煙マスクの別の使用状態における斜視図である。
【図５】本考案の実施例を示す防煙マスクのさらに別の使用状態における斜視図である。
【考案を実施するための形態】
【０００８】
以下、本考案の実施例を図面に基づいて詳細に説明する。
図１は、本考案の実施例を示す防煙マスクの斜視図であり、図２は、吸気部の構造を示す斜視図である。
これらの図に示すように、本考案の防煙マスクは、人体の顔に合わせて設けたカバー体１と、適宜長さのチューブ２と、吸盤３とを備える。
カバー体１に通孔が設けられ、通孔にチューブ２の一端を接続するための螺合部１１が設けられ、カバー体１の両側には、耳に掛けるための長さ調節可能な取付紐１２がそれぞれ設けられる。
【０００９】
チューブ２の他端に吸気部２１が設けられ、吸気部２１の外周には凹陥状に溝部２２が周設され、吸気部２１内にフィルタ材２３（活性炭布、不織布フィルタ等としてもよい）が設置される。
吸盤３の頂部外面には、吸気部２１に係合可能な掛止部材３１が連結される。
火災が発生して濃煙が形成されたり、汚染された環境に置かれたとき、カバー体１を人の鼻、口に被せ、吸気部２１を新鮮な空気の存在する空間に配置し、避難を有利にすることができる。または調理時に吸盤３により吸気部２１を換気扇または換気扇より高い位置に吸着させることで、カバー体１内への油煙の吸入を防ぎ、新鮮な空気を取り込むことができる。
【００１０】
図３に本考案の防煙マスクの使用例を示す。
火災が発生して濃煙が形成されたり、汚染された環境に置かれたとき、使用者はカバー体１を鼻、口に被せ、吸気部２１を手に持ち、避難過程で、または救援を待っているときに、避難方向または安全な場所を探しながら、新鮮な空気が存在する空隙を探し、吸気部２１を空隙に挿通して、外部の汚染されていない新鮮な空気を吸気部２１からチューブ２を介してカバー体１に進入させ、使用者の呼吸に供することができ、避難または救援に要する時間の延長に有利とすることができる。
【００１１】
図４に本考案の防煙マスクの別の使用例を示す。
カバー体１を使用者の鼻、口に被せた状態で、吸盤３を吸気部２１に掛止し、吸盤３を換気扇４または換気扇４より高い位置に吸着させる。吸気部２１には溝部２２が周設されており、吸盤３の掛止部材３１を溝部２２に掛止して、吸気部２１と掛止部材３１を位置決めすることができる。
吸気部２１を換気扇または換気扇より高い位置に吸着させることで、調理時の油煙を使用者が吸入することがなく、吸気部２１から新鮮な空気を取り込むことができ、油煙を人体に吸入して肺の傷害を引き起こすことを防止できる。
【００１２】
図５に本考案の防煙マスクのさらに別の使用例を示す。
カバー体１を使用者の鼻、口に被せ、吸盤３の掛止部材３１を吸気部２１に掛止し、吸盤３をフルフェイス型ヘルメット５の外面の適当な位置に吸着させる。
吸気部２１から外部の新鮮な空気を取り込み、長時間フルフェイス型ヘルメット５をかぶり続けることで空気が混濁し、呼吸に影響することがないようにすることができる。
【００１３】
以上は、本考案の最良の実施例を説明したものであり、本考案の実用新案登録請求の範囲を限定するものではなく、若干の修飾、変更を経ても本考案の要旨を逸脱しないものは、本考案の権利範囲に含まれる。
【符号の説明】
【００１４】
１        カバー体
１１      螺合部
１２      取付紐
２        チューブ
２１      吸気部
２２      溝部
２３      フィルタ材
３        吸盤
３１      掛止部材
４        換気扇
５        フルフェイス型ヘルメット
【図１】
0003172237.tif 000003
【図２】
0003172237.tif 000004
【図３】
0003172237.tif 000005
【図４】
0003172237.tif 000006
【図５】
0003172237.tif 000007